(57)【要約】【課題】消費電力を抑制しつつ、プロジェクタの設置状態に応じてユーザに現在のプロジェクタの動作状況をよりわかりやすく通知することが可能なプロジェクタ等を提供すること。【解決手段】プロジェクタ１００が、プロジェクタ１００の動作状態を通知するための少なくとも１つの光源を有するインジケータ１４０と、プロジェクタ１００の設置状態が平面設置状態かどうかを判定する判定部１３０と、インジケータ１４０に対して前記設置状態が平面設置状態ではない場合に前記設置状態が平面設置状態である場合と比べて視認性を高める制御を行う制御部１３２を含んで構成される。【選択図】図４
2009265296.tif 000002
【特許請求の範囲】
【請求項１】
画像を投写するプロジェクタにおいて、
前記プロジェクタの動作状態を通知するための少なくとも１つの光源を有する発光部と、
前記プロジェクタの設置状態が平面設置状態かどうかを判定する判定部と、
前記発光部に対して前記設置状態が平面設置状態ではない場合に前記設置状態が平面設置状態である場合と比べて視認性を高める制御を行う制御部と、
を含む、
プロジェクタ。
【請求項２】
請求項１に記載のプロジェクタにおいて、
前記制御部は、前記視認性を高める制御として、前記発光部の発光量を増加させる制御および前記発光部の点滅速度を速くする制御の少なくとも一方の制御を行う、
プロジェクタ。
【請求項３】
請求項１、２のいずれかに記載のプロジェクタにおいて、
前記プロジェクタの姿勢を検出する姿勢検出センサを含み、
前記判定部は、前記姿勢検出センサの検出結果に基づき、前記プロジェクタの設置状態が平面設置状態であるかどうかを判定する、
プロジェクタ。
【請求項４】
請求項１〜３のいずれかに記載のプロジェクタにおいて、
前記プロジェクタの設置状態を示す情報を入力する入力部を含み、
前記判定部は、前記設置状態を示す情報に基づき、前記プロジェクタの設置状態が平面設置状態であるかどうかを判定する、
プロジェクタ。
【請求項５】
請求項１〜４のいずれかに記載のプロジェクタにおいて、
前記発光部は、複数の光源を有し、
前記制御部は、複数の光源を点滅させる場合、各光源の点滅速度を変えて各光源を点滅制御する、
プロジェクタ。
【請求項６】
画像を投写するプロジェクタであって、かつ、当該プロジェクタの動作状態を通知するための少なくとも１つの光源を有する発光部を含むプロジェクタの有するコンピュータを、
前記プロジェクタの設置状態が平面設置状態かどうかを判定する判定部と、
前記発光部に対して前記設置状態が平面設置状態ではない場合に前記設置状態が平面設置状態である場合と比べて視認性を高める制御を行う制御部として機能させる、
プログラム。
【請求項７】
画像を投写するプロジェクタであって、かつ、当該プロジェクタの動作状態を通知するための少なくとも１つの光源を有する発光部を含むプロジェクタの有するコンピュータにより読み取り可能なプログラムを記憶した情報記憶媒体であって、
請求項６に記載のプログラムを記憶した、
情報記憶媒体。
【発明の詳細な説明】
【技術分野】
【０００１】
本発明は、プロジェクタ、プログラムおよび情報記憶媒体に関する。
【背景技術】
【０００２】
プロジェクタは、現在の動作状況をユーザに認知させるための発光部（いわゆるインジケータ）を上面等に備えている。当該発光部は、ランプの点灯、点滅等によって起動直後のウォームアップ中、正常動作中、異常動作中等の状態をユーザに認知させる。プロジェクタの使用形態としては上記上面が上になる通常状態（平面設置状態）の使用形態のほか、上記上面が下になるいわゆる天吊り設置状態での使用形態もある。天吊り設置状態の場合、通常状態の場合と比べて表示部とユーザの距離が長くなるため、ユーザは表示部が確認しづらい。
【０００３】
例えば、特開２００４−１０１６２２号公報では、投写光が人に当たることによる不快感を軽減することを目的として、プロジェクタにおいて、画像を投写するための光源であるＬＥＤの点滅制御を行うことが記載されている。具体的には、特開２００４−１０１６２２号公報では、加速度センサ等を用いてプロジェクタが動いているかどうかを判定し、プロジェクタが動いている場合にＬＥＤの発光をオフにしたり、発光量を減少させたりすることが記載されている。
【特許文献１】特開２００４−１０１６２２号公報
【発明の開示】
【発明が解決しようとする課題】
【０００４】
しかし、特開２００４−１０１６２２号公報では、プロジェクタの設置状態（天吊り設置状態、通常状態）については考慮されておらず、特開２００４−１０１６２２号公報の手法では、プロジェクタの設置状態に応じてユーザにプロジェクタの現在の動作状況をわかりやすく通知することはできない。
【０００５】
また、プロジェクタの現在の動作状況を通知する手法としては、音声を用いる手法も考えられるが、一般的なプロジェクタはスピーカ等の音声出力部を有しておらず、異常動作等を通知するために音声出力部を新たに設けることはプロジェクタの構成が複雑になり、製造費用も高くなるため、音声を用いて動作状況を通知する手法を適用することは好ましくない。
【０００６】
また、プロジェクタの設置状態に関わらず、常に最高輝度で発光部を発光させることも考えられるが、プロジェクタ１００の消費電力が多くなるため、好ましくない。
【０００７】
本発明の目的は、消費電力を抑制しつつ、プロジェクタの設置状態に応じてユーザに現在のプロジェクタの動作状況をよりわかりやすく通知することが可能なプロジェクタ、プログラムおよび情報記憶媒体を提供することにある。
【課題を解決するための手段】
【０００８】
上記課題を解決するため、本発明に係るプロジェクタは、画像を投写するプロジェクタにおいて、前記プロジェクタの動作状態を通知するための少なくとも１つの光源を有する発光部と、前記プロジェクタの設置状態が平面設置状態かどうかを判定する判定部と、前記発光部に対して前記設置状態が平面設置状態ではない場合に前記設置状態が平面設置状態である場合と比べて視認性を高める制御を行う制御部と、を含むことを特徴とする。
【０００９】
また、本発明に係るプログラムは、画像を投写するプロジェクタであって、かつ、当該プロジェクタの動作状態を通知するための少なくとも１つの光源を有する発光部を含むプロジェクタの有するコンピュータを、前記プロジェクタの設置状態が平面設置状態かどうかを判定する判定部と、前記発光部に対して前記設置状態が平面設置状態ではない場合に前記設置状態が平面設置状態である場合と比べて視認性を高める制御を行う制御部として機能させることを特徴とする。
【００１０】
また、本発明に係る情報記憶媒体は、画像を投写するプロジェクタであって、かつ、当該プロジェクタの動作状態を通知するための少なくとも１つの光源を有する発光部を含むプロジェクタの有するコンピュータにより読み取り可能なプログラムを記憶した情報記憶媒体であって、上記プログラムを記憶したことを特徴とする。
【００１１】
本発明によれば、プロジェクタは、発光部に対して設置状態が平面設置状態ではない場合に前記設置状態が平面設置状態である場合と比べて視認性を高める制御を行って発光部を発光させることにより、消費電力を抑制しつつ、プロジェクタの設置状態に応じてユーザに現在のプロジェクタの動作状況をよりわかりやすく通知することができる。
【００１２】
また、前記制御部は、前記視認性を高める制御として、前記発光部の発光量を増加させる制御および前記発光部の点滅速度を速くする制御の少なくとも一方の制御を行ってもよい。
【００１３】
これによれば、プロジェクタは、発光部の発光量を増加させる制御や発光部の点滅速度を速くする制御を行うことによって視認性を高めることができ、プロジェクタの設置状態に応じてユーザに現在のプロジェクタの動作状況をよりわかりやすく通知することができる。
【００１４】
また、前記プロジェクタは、前記プロジェクタの姿勢を検出する姿勢検出センサを含み、前記判定部は、前記姿勢検出センサの検出結果に基づき、前記プロジェクタの設置状態が平面設置状態であるかどうかを判定してもよい。
【００１５】
これによれば、プロジェクタは、プロジェクタの姿勢に応じてユーザに現在のプロジェクタの動作状況をよりわかりやすく通知することができる。特に、これによれば、プロジェクタは、リアルタイムに姿勢の変化を検出することができるため、プロジェクタの姿勢が頻繁に変化する場合であっても、動作状況を適切に通知することができる。
【００１６】
また、前記プロジェクタは、前記プロジェクタの設置状態を示す情報を入力する入力部を含み、前記判定部は、前記設置状態を示す情報に基づき、前記プロジェクタの設置状態が平面設置状態であるかどうかを判定してもよい。
【００１７】
これによれば、プロジェクタは、プロジェクタの設置状態を示す情報に応じてユーザに現在のプロジェクタの動作状況をよりわかりやすく通知することができる。特に、これによれば、プロジェクタは、より正確に設置状態を把握することができる。
【００１８】
また、前記発光部は、複数の光源を有し、前記制御部は、複数の光源を点滅させる場合、各光源の点滅速度を変えて各光源を点滅制御してもよい。
【００１９】
これによれば、プロジェクタは、複数の光源が同時に点滅させる場合であっても、各光源の点滅速度を変える制御を行うことにより、点滅している光源の個数をわかりやすくユーザに通知することができる。
【発明を実施するための最良の形態】
【００２０】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例におけるプロジェクタ１００の投写状態を示す図である。また、図２は、第１の実施例におけるプロジェクタ１００の投写状態を示す図である。
【００２２】
図１に示すように、プロジェクタ１００は、スクリーン２０へ向け画像を投写する。プロジェクタ１００の主な設置状態としては、平面設置状態（通常状態、実線で示す状態）と、天吊り設置状態（２点鎖線で示す状態）がある。図２に示すように、光源を発光させることによってプロジェクタ１００の状態を通知する発光部として機能するインジケータ１４０は、プロジェクタ１００の上面に設けられている。
【００２３】
このため、平面設置状態の場合はユーザとの距離が近いため、ユーザはインジケータ１４０の発光状態を視認しやすいが、天吊り設置状態の場合はユーザとの距離が遠いため、ユーザはインジケータ１４０の発光状態を視認しづらい。
【００２４】
図３は、第１の実施例におけるインジケータ１４０の点灯状態と原因を示す図である。例えば、インジケータ１４０には、オペレーションインジケータ、ランプインジケータ、温度インジケータの３つのＬＥＤ（光源）が設けられている。
【００２５】
例えば、図３の最も上にある状態では、オペレーションインジケータが点灯し、ランプインジケータが点滅し、温度インジケータが点滅している。この場合、インジケータ１４０は、内部異常が発生していることを示している。
【００２６】
また、例えば、図３の上から２番目にある状態では、オペレーションインジケータが点灯し、ランプインジケータが点滅し、温度インジケータが消灯している。この場合、インジケータ１４０は、ランプを交換すべきであることを示している。
【００２７】
また、例えば、図３の上から３番目にある状態では、オペレーションインジケータが点灯し、ランプインジケータが消灯し、温度インジケータが点滅している。この場合、インジケータ１４０は、ファンやセンサに異常が発生していることを示している。
【００２８】
また、例えば、図３の最も下にある状態では、オペレーションインジケータが点滅し、ランプインジケータが消灯し、温度インジケータが点滅している。この場合、インジケータ１４０は、高速冷却中であることを示している。
【００２９】
このように、インジケータ１４０は、プロジェクタ１００の種々の状態を通知する機能を有しており、プロジェクタ１００とユーザの距離が離れている場合であっても、インジケータ１４０の視認性をなるべく低下させないことが重要である。
【００３０】
本実施例では、プロジェクタ１００は、プロジェクタ１００の設置状態に応じてインジケータ１４０を制御することにより、消費電力を抑制しつつ、天吊り設置状態でも視認性を低下させないことができる。
【００３１】
次に、このような機能を有するプロジェクタ１００の機能ブロックについて説明する。図４は、第１の実施例におけるプロジェクタ１００の機能ブロック図である。
【００３２】
プロジェクタ１００は、プロジェクタ１００の動作状態を通知するための複数の光源を有するインジケータ１４０と、プロジェクタ１００の設置状態が平面設置状態かどうかを判定する判定部１３０と、インジケータ１４０に対して設置状態が平面設置状態ではない場合に設置状態が平面設置状態である場合と比べて視認性を高める制御を行う制御部１３２を含んで構成されている。
【００３３】
また、プロジェクタ１００は、インジケータ１４０を制御するための制御データ１２４等を記憶する記憶部１２０と、電源１６０と、ファン１６２と、ＰＣ（Personal Computer）等から画像信号（例えば、ＲＧＢ信号等）を入力する画像信号入力部１７０と、画像信号に基づいて画像を生成（画像処理演算、液晶パネルでの画像の形成等）する画像生成部１８０と、画像を投写する投写部１９０と、プロジェクタ１００の内部温度を検出する温度検出センサ１５０と、プロジェクタ１００の姿勢を検出する姿勢検出センサ１１０を含んで構成されている。
【００３４】
なお、制御データ１２４には、通知イベントの種別に応じたインジケータ１４０の点滅パターン（例えば、各光源の制御値等）を示す複数の制御データ１２４が含まれている。
【００３５】
また、これらの各部は、例えば、以下のハードウェアを用いてプロジェクタ１００に実装されてもよい。例えば、姿勢検出センサ１１０としては、（重力）加速度センサ、３次元位置センサ等、記憶部１２０としてはＲＡＭ等、判定部１３０、制御部１３２としてはＣＰＵ等、インジケータ１４０としてはＬＥＤ等、画像信号入力部１７０としては画像信号入力端子等、画像生成部１８０としては画像処理回路等、投写部１９０としては、液晶駆動回路、液晶パネル、ランプ等が採用されてもよい。
【００３６】
また、プロジェクタ１００は、判定部１３０等の機能を情報記憶媒体２００からプログラムを読み取って実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００３７】
次に、これらの各部を用いたインジケータ１４０の点灯制御手順について説明する。図５は、第１の実施例における点灯制御手順を示すフローチャートである。
【００３８】
判定部１３０は、電源１６０、ファン１６２、投写部１９０、温度検出センサ１５０等からの情報に基づき、通知イベントが発生したかどうかを判定する（ステップＳ１）。例えば、判定部１３０は、電源１６０からの動作情報に基づいて電源１６０に異常が発生したかどうかを判定したり、ファン１６２からの動作情報に基づいてファン１６２に異常が発生したかどうかを判定したり、投写部１９０からのランプ駆動情報に基づいてランプ交換時期になったかどうかを判定したり、温度検出センサ１５０からの温度検出情報に基づいて内部温度異常が発生したかどうかを判定したりする。
【００３９】
なお、通知イベントとしては、図３の原因に示す内部異常（例えば、電源異常、内部温度異常等）、ランプ交換勧告（ランプ交換時期になった）等が該当する。また、通知イベントは、図３の原因には限定されず、通知が行われる種々のイベントが該当する。
【００４０】
姿勢検出センサ１１０は、常にプロジェクタ１００の姿勢（例えば、重力加速度、３次元位置等）を検出している（ステップＳ２）。なお、姿勢検出センサ１１０は、制御部１３２等から検出指示があった場合のみプロジェクタ１００の姿勢を検出してもよい。
【００４１】
判定部１３０は、姿勢検出センサ１１０の検出結果に基づき、プロジェクタ１００の設置状態が平面設置状態であるかどうかを判定する（ステップＳ３）。例えば、判定部１３０は、重力加速度の方向が正方向であれば平面設置状態であり、逆方向であれば天吊り設置状態であると判定し、３次元位置が平面位置であれば平面設置状態であり、天吊り位置であれば天吊り設置状態であると判定してもよい。
【００４２】
平面設置状態である場合、制御部１３２は、判定部１３０によって判定された通知イベントの種別に応じた制御データ１２４を選択し、当該制御データ１２４を用いて基準輝度でインジケータ１４０を点滅制御する（ステップＳ４）。
【００４３】
一方、平面設置状態ではない場合、制御部１３２は、判定部１３０によって判定された通知イベントの種別に応じた制御データ１２４を選択し、当該制御データ１２４を用いて高輝度（基準輝度よりも高い輝度、発光量を増加）でインジケータ１４０を点滅制御する（ステップＳ５）。
【００４４】
なお、高輝度にする手法としては、例えば、点灯するＬＥＤの個数を増加させる手法（例えば、平面設置状態の場合は４つのＬＥＤのうちの２個を点灯させ、天吊り設置状態の場合は４つのＬＥＤのすべてを点灯させる手法等）、ディマー制御（高周波パルスによる制御）によってＬＥＤの明るさを増加させる手法等が採用されてもよい。
【００４５】
以上のように、本実施例によれば、プロジェクタ１００は、インジケータ１４０に対して設置状態が平面設置状態ではない場合に設置状態が平面設置状態である場合と比べて視認性を高める制御（例えば、インジケータ１４０の輝度を上げる制御等）を行って発光部を発光させることにより、消費電力を抑制しつつ、プロジェクタ１００の設置状態に応じてユーザに現在のプロジェクタ１００の動作状況をよりわかりやすく通知することができる。
【００４６】
また、本実施例によれば、プロジェクタ１００は、プロジェクタ１００の姿勢に応じてユーザに現在のプロジェクタの動作状況をよりわかりやすく通知することができる。特に、本実施例によれば、プロジェクタ１００は、リアルタイムに姿勢の変化を検出することができるため、プロジェクタ１００の姿勢が頻繁に変化する場合であっても、動作状況を適切に通知することができる。
【００４７】
（第２の実施例）
第１の実施例では、プロジェクタ１００は、姿勢検出センサ１１０を用いているが、姿勢検出センサ１１０を用いずに設置状態を示す情報を直接入力してもよい。
【００４８】
図６は、第２の実施例におけるプロジェクタ１０１の機能ブロック図である。プロジェクタ１０１は、プロジェクタ１０１の設置状態を示す情報を入力する入力部１１２と、制御データ１２４、プロジェクタ１０１の設置状態を示す状態データ１２６等を記憶する記憶部１２１と、入力部１１２からの情報に基づいて状態データ１２６を更新する更新部１３４と、状態データ１２６に基づくプロジェクタ１０１の設置状態の判定等を行う判定部１３１を含んで構成されている。
【００４９】
なお、入力部１１２としては、例えば、外部機器からの情報を受信する受信ユニット、ユーザの指示情報を入力するリモートコントローラ等、更新部１３４としてはＣＰＵ等が用いられてもよい。
【００５０】
また、プロジェクタ１０１は、姿勢検出センサ１１０を含んでいない。また、これら以外の制御部１３２等の構成は第１の実施例と同様であるため説明を省略する。また、プロジェクタ１０１は、第１の実施例と同様に、情報記憶媒体２０１に記憶されたプログラムを読み取って判定部１３１等の機能を実装してもよい。
【００５１】
次に、判定部１３１等を用いた点灯制御手順について説明する。図７は、第２の実施例における点灯制御手順を示すフローチャートである。
【００５２】
更新部１３４は、入力部１１２に設置状態を示す情報が入力されたかどうかを判定する（ステップＳ１１）。設置状態を示す情報が入力された場合、更新部１３４は、当該情報に基づき、状態データ１２６を更新する（ステップＳ１２）。
【００５３】
判定部１３１は、電源１６０、ファン１６２、投写部１９０、温度検出センサ１５０等からの情報に基づき、通知イベントが発生したかどうかを判定する（ステップＳ１３）。また、判定部１３１は、状態データ１２６に基づき、プロジェクタ１００の設置状態が平面設置状態であるかどうかを判定する（ステップＳ１４）。
【００５４】
インジケータ１４０の点滅制御（ステップＳ４、Ｓ５）については第１の実施例と同様であるため説明を省略する。
【００５５】
以上のように、本実施例によれば、プロジェクタ１０１は、プロジェクタ１０１の設置状態を示す情報に応じてユーザに現在のプロジェクタ１０１の動作状況をよりわかりやすく通知することができる。特に、本実施例によれば、プロジェクタ１０１は、より正確に設置状態を把握することができる。
【００５６】
（その他の実施例）
なお、本発明の適用は上述した実施例に限定されず、種々の変形が可能である。例えば、制御部１３２は、インジケータ１４０に複数の光源が含まれる状態で、複数の光源を点滅させる場合、各光源の点滅速度（点滅間隔、点滅周期等）を変えて各光源を点滅制御してもよい。具体的には、例えば、図３に示す内部異常の場合、制御部１３２は、ランプインジケータを１秒間隔で、温度インジケータを０．３秒間隔で点滅させてもよい。
【００５７】
これによれば、プロジェクタは、複数の光源が同時に点滅させる場合であっても、各光源の点滅速度を変える制御を行うことにより、点滅している光源の個数をわかりやすくユーザに通知することができる。
【００５８】
具体的には、例えば、図３に示す内部異常とランプ交換勧告の場合、両方とも上が点灯するインジケータで、その下に点滅するインジケータがあるため天吊り設置状態の場合、ユーザは両者を区別しづらい。
【００５９】
このような場合に各光源の点滅速度を変える制御を行うことにより、点滅している光源の個数をわかりやすくユーザに通知することができ、ユーザは、天吊り設置状態の場合であっても内部異常とランプ交換勧告を区別することができる。
【００６０】
また、制御部１３２は、インジケータ１４０に複数の光源が含まれる状態で、複数の光源を点滅させる場合、各光源の点滅を組み合わせることによって平面設置状態の場合と比べて天吊り設置状態の場合により視認しやすい色でインジケータ１４０を点灯させてもよい。
【００６１】
例えば、インジケータ１４０に赤色ＬＥＤと青色ＬＥＤが含まれる場合、制御部１３２は、平面設置状態の場合は赤色ＬＥＤを点灯させて青色ＬＥＤを消灯させ、天吊り設置状態の場合は赤色ＬＥＤを消灯させて青色ＬＥＤを点灯させてもよい。
【００６２】
一般的に赤色光よりも青色光のほうが視認性がよいため、プロジェクタは、天吊り設置状態の場合であってもインジケータ１４０が点灯していることをユーザにわかりやすく通知することができる。なお、インジケータ１４０の光源は１つでもよい。
【００６３】
また、平面設置状態の場合であっても、プロジェクタ１００が上方向等に傾けられることによってインジケータ１４０の視認性が低下する場合もある。制御部１３２は、このような場合にもインジケータ１４０の視認性を高める制御を行ってもよい。
【００６４】
また、プロジェクタ１００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００の機能を複数の装置（例えば、ＰＣとプロジェクタ等）に分散して実装してもよい。
【図面の簡単な説明】
【００６５】
【図１】第１の実施例におけるプロジェクタの投写状態を示す図である。
【図２】第１の実施例におけるプロジェクタの投写状態を示す図である。
【図３】第１の実施例におけるインジケータの点灯状態と原因を示す図である。
【図４】第１の実施例におけるプロジェクタの機能ブロック図である。
【図５】第１の実施例における点灯制御手順を示すフローチャートである。
【図６】第２の実施例におけるプロジェクタの機能ブロック図である。
【図７】第２の実施例における点灯制御手順を示すフローチャートである。
【符号の説明】
【００６６】
２０  スクリーン、１００、１０１  プロジェクタ、１１０  姿勢検出センサ、１１２  入力部、１２０、１２１  記憶部、１２４  制御データ、１２６  状態データ、１３０、１３１  判定部、１３２  制御部、１３４  更新部、１４０  インジケータ、１５０  温度検出センサ、１６０  電源、１６２  ファン、１７０  画像信号入力部、１８０  画像生成部、１９０  投写部、２００、２０１  情報記憶媒体
【図１】
2009265296.tif 000003
【図２】
2009265296.tif 000004
【図３】
2009265296.tif 000005
【図４】
2009265296.tif 000006
【図５】
2009265296.tif 000007
【図６】
2009265296.tif 000008
【図７】
2009265296.tif 000009